(57)【要約】【課題】  本発明は、保管及び使用中にカールが発生するのを防止できるとともにデッドホールド性をよくした、アルミニウム箔を含まないので包装した製品の検査に金属探知機の使用が可能な蓋材を提供することである。【解決手段】  樹脂層と紙層からなる外蓋と、押出樹脂層とプラスチックフィルム層と熱接着性樹脂層からなる内蓋とが、離型層を介して少なくとも部分的に剥離可能に積層され、外蓋を剥離させることにより内蓋に湯切り孔を形成できるようにした構成の蓋材であって、蓋材を形成する紙層が、填料が１０〜２５％添加されており、パルプフリーネスが４５０〜５５０ｃｃとされ、含水率が３．５〜５．５％とされている構成からなる湯切り孔付き蓋材である。【選択図】  図１
2007001638.tif 000002
【特許請求の範囲】
【請求項１】
樹脂層と紙層からなる外蓋と、押出樹脂層とプラスチックフィルム層と熱接着性樹脂層からなる内蓋とが、外蓋の内面の紙層面に形成された離型層を介して少なくとも部分的に剥離可能に積層され、外周縁に外方に突出する摘み部が形成され、内蓋に、摘み部の内側に隣接して外蓋剥離開始用切目が形成されるとともに複数の湯切り用切目が形成され、外蓋を剥離させることにより湯切り孔を形成できるようにした構成からなる蓋材において、前記紙層が、填料が１０〜２５％添加され、パルプフリーネスが４５０〜５５０ｃｃとされた構成からなることを特徴とする湯切り孔付き蓋材。
【請求項２】
前記紙層の含水率が３．５〜５．５％とされた構成からなることを特徴とする請求項１記載の湯切り孔付き蓋材。
【請求項３】
前記押出樹脂層の離型層が形成された紙層面と接する面がオゾン処理されていることを特徴とする請求項１または２記載の湯切り孔付き蓋材。
【請求項４】
前記内蓋に、摘み部と反対側の周縁部に湯切り用切目が形成され、湯切り用切目と外蓋剥離開始用切目の間の領域に開口用切目が形成され、外蓋の内面の紙層面に、外蓋剥離開始用切目より内側であって湯切り用切目及び開口用切目より外側の蓋材周縁に囲まれた領域に離型層が形成された構成からなることを特徴とする請求項１〜３のいずれかに記載の湯切り孔付き蓋材。
【請求項５】
前記離型層が、湯切り用切目と開口用切目間の領域において、摘み部と蓋材の中心を結ぶ線と直交方向の所定巾を有する帯状に剥離強度が大きい第２離型層とされ、第２離型層が形成された領域以外の領域が第２離型層よりも剥離強度の小さい第１離型層とされている構成からなることを特徴とする請求項４記載の湯切り孔付き蓋材。
【請求項６】
前記離型層が、摘み部と蓋材の中心を結ぶ線と直交方向の開口用切目と蓋材周縁に囲まれた領域に、摘み部と蓋材の中心を結ぶ線と直交方向に伸びるストライプ状に剥離強度が大きい第２離型層が形成され、第２離型層が形成された領域以外の領域が第２離型層より剥離強度が小さい第１離型層とされた構成からなることを特徴とする請求項４、５記載の湯切り孔付き蓋材。
【請求項７】
前記内蓋に、開口用切目の内部の領域において摘み部と蓋材の中心を結ぶ線と直交方向の複数の平行線状切目が形成された構成からなることを特徴とする請求項４〜６のいずれかに記載の湯切り孔付き蓋材。
【発明の詳細な説明】
【技術分野】
【０００１】
本発明は、インスタント焼きそば等の容器に使用するアルミニウム箔を含まない湯切り孔付き蓋材であって、蓋材を使用して包装した製品の検査に金属探知機を使用することができ、シート状に打ち抜かれた状態で蓋材にカールが発生するのを防止できるとともに、蓋材を部分的に剥がした形状を保持することが可能な湯切り孔付き蓋材に関する。
【背景技術】
【０００２】
従来、インスタント焼きそば等の容器の蓋材のように、蓋材を容器から半分程度剥離させて開口を形成し容器の中に熱湯を注いで即席麺等を蒸し調理した後に湯切りして使用する容器の蓋材としては、外方に突出する開封用摘み部を有する外蓋と内蓋とからなり、内蓋には開封用摘み部と対向する位置に湯切り用切目が形成され、外蓋には湯切り用切目近傍で開封用摘み部側に外蓋を２分する外蓋切目を有する蓋材であって、蓋材の外蓋切目の開封用摘み部と反対側に位置する部分に外方に突出する湯切り用摘み部が形成されるとともに、湯切り用摘み部と湯切り用切目との間で内蓋を２分する剥離開始用切目が形成され、少なくとも剥離開始用切目と外蓋切目とで囲まれる領域において、外蓋と内蓋が離型層を介して積層されている構成からなる湯切り孔付き蓋材（例えば、特許文献１参照）が知られている。
【特許文献１】特開２０００−２０３６５４号公報
【０００３】
しかしながら、上記の湯切り孔付き蓋材では、外蓋が紙層単体ないしはプラスチックフィルム層と紙層からなり内蓋がポリエチレン層とアルミニウム箔層と熱接着性樹脂層からなりアルミニウム箔を含む構成であるため、蓋材がアルミニウム箔により可塑性が付与されるので、蓋材にカールが発生した場合でも、手でくせ直しをしてカールを矯正することが可能であり、包装時に蓋材を供給する際の作業性に問題が生じないが、上記の湯切り孔付き蓋材において、アルミニウム箔層を使用せずにプラスチックフィルムに代えた構成とした場合には、アルミニウム箔を含む構成のように蓋材に可塑性が付与されないので、紙層伸縮して蓋材にカールが発生した場合でも、手でくせ直しをしようとしてもカールを矯正することが困難であり、包装時に蓋材の供給をスムーズに行えないという欠点が生じる。また、前者において内蓋をアルミニウム箔を２軸延伸プラスチックフィルムに代えた構成とした場合には、蓋材の剛性が大きくなり反発力が強くなって、蓋材にデッドホールド性がなくなるので、剥離した蓋材が戻って開口を塞いでしまうため、蓋材を剥離して形成した開口から容器内に熱湯を注入する作業が行い難くなるという欠点がでる。
【発明の開示】
【発明が解決しようとする課題】
【０００４】
本発明は、蓋材を使用して包装した製品の検査に金属探知機を使用することが可能であり、保管ないしは使用中にシート状に打ち抜かれた蓋材にカールが発生するのを防止できるとともに蓋材を部分的に剥がした形状を保持することが可能な積層構成中にアルミニウム箔を含まない湯切り孔付き蓋材に関する。
【課題を解決するための手段】
【０００５】
樹脂層と紙層からなる外蓋と、押出樹脂層とプラスチックフィルム層と熱接着性樹脂層からなる内蓋とが、外蓋の内面の紙層面に形成された離型層を介して少なくとも部分的に剥離可能に積層され、外周縁に外方に突出する摘み部が形成され、内蓋に、摘み部の内側に隣接して外蓋剥離開始用切目が形成されるとともに複数の湯切り用切目が形成され、外蓋を剥離させることにより湯切り孔を形成できるようにした構成からなる蓋材において、前記紙層が、填料が１０〜２５％添加され、パルプフリーネスが４５０〜５５０ｃｃとされた構成の湯切り孔付き蓋材である。
【０００６】
上記の湯切り孔付き蓋材において、前記紙層の含水率が３．５〜５．５％とされた構成である。
【０００７】
上記の湯切り孔付き蓋材において、前記押出樹脂層の離型層が形成された紙層面と接する面がオゾン処理されている構成である。
【０００８】
上記の湯切り孔付き蓋材において、前記内蓋に、摘み部と反対側の周縁部に湯切り用切目が形成され、湯切り用切目と外蓋剥離開始用切目の間の領域に開口用切目が形成され、外蓋の内面の紙層面に、外蓋剥離開始用切目より内側であって湯切り用切目及び開口用切目より外側の蓋材周縁に囲まれた領域に離型層が形成された構成である。
【０００９】
上記の湯切り孔付き蓋材において、前記離型層が、湯切り用切目と開口用切目間の領域において、摘み部と蓋材の中心を結ぶ線と直交方向の所定巾を有する帯状に剥離強度が大きい第２離型層とされ、第２離型層が形成された領域以外の領域が第２離型層よりも剥離強度の小さい第１離型層とされている構成である。
【００１０】
上記の湯切り孔付き蓋材において、前記離型層が、摘み部と蓋材の中心を結ぶ線と直交方向の開口用切目と蓋材周縁に囲まれた領域に、摘み部と蓋材の中心を結ぶ線と直交方向に伸びるストライプ状に剥離強度が大きい第２離型層が形成され、第２離型層が形成された領域以外の領域が第２離型層より剥離強度が小さい第１離型層とされている構成である。
【００１１】
上記の湯切り孔付き蓋材において、前記内蓋に、開口用切目の内部の領域に摘み部と蓋材の中心を結ぶ線と直交方向の複数の平行線状切目が形成されている構成である。
【発明の効果】
【００１２】
本発明の湯切り孔付き蓋材とすることにより、蓋材を構成する積層体にアルミニウム箔を含まないので、この蓋材をインスタント焼きそば等を収納した容器に熱接着して取り付けた製品の検査に金属探知機を使用することが可能になるとともに、蓋材を形成する紙層が空気中の湿気を吸湿したり紙層に含まれる水分の空気中への揮散により、紙層の含水率が変化した場合でも紙層が伸縮しにくい構成とされているので、打ち抜かれてシート状となった蓋材の保管中及び蓋材を容器に取付ける包装工程中にカールが発生して包装作業を阻害することがない。
【００１３】
請求項２に係る発明では、蓋材の含水率が、保管室ないしは包装室の湿度と略平衡状態にある紙層の含水率とされているので、空気中の湿気の影響により紙層の含水率が変化して紙層が伸縮し蓋材にカールが発生するのを防止することができる。
【００１４】
請求項３に係る発明では、外蓋内面の離型層が形成された紙層面と押出樹脂層面の接着強度が加工時の原反の幅方向及び流れ方向にてバラツキが生じるのを防止できるので、外蓋の内面と押出樹脂層間の接着強度を均一にすることができる。
【００１５】
請求項４に係る発明では、外蓋を半分程度剥離させて内蓋に開口を形成し、形成した開口から容器内に熱湯を注入して麺等の内容物を湯掻いた後に、外蓋を完全に剥離させて湯切り穴を形成して湯切りすることができる。
【００１６】
請求項５に係る発明では、外蓋を内蓋から剥離させてゆき、剥離が湯切り用切目と開口用切目間の領域の剥離強度が大きい第２離型層の箇所に達すると剥離が重くなるため、外蓋を完全に剥離してしまうことなく蓋材の剥離を半開きの状態で止めることができる。
【００１７】
請求項６に係る発明では、外蓋を内蓋から剥離させてゆき剥離が外蓋に形成された格子状の剥離強度が大きい第２離型層の箇所に達すると剥離が重くなるため、剥離した外蓋が多角形状に折れ曲がった状態となり、剥離を止めても剥離した外蓋が元に戻って形成した開口を塞いでしまうことがない。
【００１８】
請求項７に係る発明では、外蓋を剥させた際に外蓋に接着して抜き取られる開口用切目に囲まれた領域の内蓋に平行線状切目が形成されているので、開口用切目に囲まれた領域の内蓋が外蓋に接着した状態で剥離された蓋材が元に戻って形成した開口を塞いでしまうことがない。
【発明を実施するための最良の形態】
【００１９】
以下、図面を引用して本発明の実施の形態を説明する。
図１は本発明の第１実施形態を示す底面図、図２は第１実施形態の外蓋の内面に形成された離型層を示す図、図３は第１実施形態の積層構成を示す図１のＩ−Ｉ線拡大断面図、図４は本発明の第２実施形態を示す底面図、図５は第２実施形態の外蓋の内面に形成された離型層を示す図、図６は第2 実施形態の積層構成を示す図４のII−II線拡大断面図であって、２は摘み部、３は外蓋剥離開始用切目、４は開口用切目、4aは突出部、５は湯切り用切目、６は平行線状切目、７は第１離型層、８は第２離型層、10, 10' は外蓋、11は紙層、12, 22はプラスチックフィルム層、13は接着剤層、14は樹脂コート層、20は内蓋、21は押出樹脂層、23は熱接着性樹脂層をそれぞれ表す。
【００２０】
本発明の湯切り孔付き蓋材の第１実施形態は、底面形状が図１に、外蓋の内面に形成された離型層の形状が図２に、断面構成が図３にそれぞれ示されるとおりである。第１実施形態の蓋材は、プラスチックフィルム層12からなる樹脂層と紙層11とが接着剤層13を介して積層された外蓋10と、押出樹脂層21とプラスチックフィルム層22と熱接着性樹脂層23からなる内蓋20とが、外蓋10の紙層11面に形成された離型層を介して剥離可能に積層された構成からなっている。第１実施形態の底面形状は、図１に示すように、外周縁に外方に突出する摘み部２が形成され、摘み部２の内側に外蓋剥離開始用切目３が形成され、摘み部２と反対側の周縁部に複数の円形状の湯切り用切目５が形成され、湯切り用切目５と外蓋剥離開始用切目３の間の領域に、略４角形状であり外蓋剥離開始用切目３に隣接する部分が内方に突出する突出部4aを有する形状の開口用切目４が形成され、開口用切目４の内側の領域に摘み部２と蓋材の中心を結ぶ線と直交方向の所定の間隔を有する複数本の平行線状切目６が形成されている構成である。
【００２１】
第１実施形態における外蓋10の内面に形成されている離型層の形状は、図２に示すように、湯切り用切目５と開口用切目４間の領域に摘み部２と蓋材の中心を結ぶ線と直交方向の所定巾を有する帯状の剥離強度が大きい第２離型層８が形成されるとともに、摘み部２と蓋材の中心を結ぶ線と直交方向の開口用切目４と蓋材周縁に囲まれた領域に摘み部２と蓋材の中心を結ぶ線と直交方向に伸びるストライプ状に所定間隔をおいて複数本の剥離強度が大きい第２離型層８が形成され、第２離型層８が形成された領域以外の領域が第２離型層８より剥離強度が小さい第１離型層７が形成されている構成である。
【００２２】
第１実施形態の積層構成は、図３に示すとおり、プラスチックフィルム層12からなる樹脂層と紙層11とが接着剤層13を介して積層された外蓋10と、押出樹脂層21とプラスチックフィルム層22と熱接着性樹脂層23からなる内蓋20とが、外蓋10の紙層11面に形成された第１離型層７と第２離型層８からなる離型層を介して剥離可能に積層されており、内蓋20には、外蓋剥離開始用切目３と湯切り用切目５と開口用切目４と平行線状切目６が内蓋20を貫通するように形成されている構成である。印刷絵柄９は紙層11の外面に形成される。
【００２３】
本発明の湯切り孔付き蓋材の第２実施形態は、底面形状が図４に、外蓋の内面に形成された離型層の形状が図５に、断面構成が図６にそれぞれ示されるとおりである。第２実施形態の底面側の形状は、図４に示すように、内蓋20の開口用切目４の内側の領域に平行線状切目６が形成されていない点で異なる以外は第１実施形態と同じである。
【００２４】
第２実施形態における外蓋10の内面に形成されている離型層の形状は、図５に示すとおりであって、外蓋剥離開始用切目３より内側であって、湯切り用切目５と開口用切目４の外側の領域に形成されており、湯切り用切目５と開口用切目４間の領域に、摘み部２と蓋材の中心を結ぶ線と直交方向の所定巾を有する帯状に剥離強度が大きい第２離型層８とされ第２離型層８が形成された領域を除く領域に第２離型層８よりも離強度が小さい第１離型層７が形成されている形状である。
【００２５】
第２実施形態の積層構成は、図６に示すように、樹脂コート層14からなる樹脂層と紙層11が積層された外蓋10' と、押出樹脂層21とプラスチックフィルム層22と熱接着性樹脂層23からなる内蓋20とが、外蓋10の紙層11面に形成された第１離型層７と第２離型層８からなる離型層を介して剥離可能に積層されており、内蓋20には、外蓋剥離開始用切目３と湯切り用切目５と開口用切目４が内蓋20を貫通するように形成されている構成である。印刷絵柄９は紙層11の外面に形成される。
【００２６】
第１、第２実施形態の湯切り孔付き蓋材に使用する紙層は、紙層に填料を１０〜２５％添加するとともに、パルプフリーネスが４５０〜５５０ｃｃとされている構成である。パルプフリーネスが４５０ｃｃ未満では紙の伸縮が起こりやすくなるためカールが起こりやすくなり、パルプフリーネスが５５０ｃｃを越えると紙層を形成しえなくなる。填料としては、白土、タルク、炭酸カルシウム、酸化チタン、珪藻土、硫酸バリウム、水酸化アルミニウム、炭酸カルシウム等が使用できる。紙層を上記の構成とすることにより、紙層の含水率が変化した場合でも、含水率の変化による紙層の寸法変化を小さく抑えることができるので、蓋材にカールが発生するのを防止することができる。
【００２７】
また、紙層の含水率が３．５〜５．５％とされているものである。湯切り孔付き蓋材を保管する場所ないしは湯切り孔付き蓋材を容器に熱接着して取り付けて内容物を充填する場所の相対湿度は一般的に４０〜６０％程度であるので、相対湿度が４０〜６０％である室内に蓋材を放置した場合の紙層の平衡含水率が４．５〜６．５％程度となる。したがって、紙層の含水率を平衡含水率に近い３．５〜５．５％としておくことにより、紙層の吸湿ないしは脱湿が極めて少なくなり、紙層の湿気による伸縮が抑えられるので、湯切り孔付き蓋材のカールが発生するのを防止できる。
【００２８】
第１、第２実施形態の湯切り孔付き蓋材を、インスタント焼きそば等を収納した容器の口部に熱接着して取付けて包装体とした後、摘み部を掴んで蓋材を容器から剥がし、外蓋剥離開始用切目の箇所にて外蓋を内蓋から剥離してゆき第２離型層の箇所に達すると外蓋が内蓋から剥離し難くなり外蓋の剥離を第２離型層の箇所で止めることができるので外蓋を内蓋から完全に剥離させてしまうのを防止することができる。
【００２９】
第２実施形態の湯切り孔付き蓋材では、摘み部を掴んで蓋材を容器から剥がし外蓋剥離開始用切目の箇所にて外蓋を内蓋から剥離する際に、摘み部と蓋材の中心を結ぶ線と直交方向に伸びるストライプ状に形成された複数本の剥離強度が大きい第２離型層８の領域では剥離強度が大きくなるので外蓋が折れ曲がった状態で剥離し剥離した外蓋が多角形状となるので元に戻って形成した開口を塞いでしまうことがなくなる。また、外蓋に内蓋の開口用切目に囲まれた部分が接着した状態で抜き取られて開口が形成される際に、外蓋に接着した状態で抜き取られた開口用切目に囲まれた領域の内蓋が複数本の平行線状切目に沿って折れ曲がり、内蓋が接着した箇所の外蓋の剛性を低下させて反発力を小さくすることができるので、剥離した蓋材が元に戻って形成した開口を塞いでしまうのを防止することができる。
【００３０】
本発明の第１実施形態における複数本からなる平行線状切目６の間隔を５〜１０ｍｍとして開口用切目４に囲まれた全領域に形成するのが好ましい。平行線状切目６の間隔が５ｍｍ以下になると蓋材としての剛性が低下するし、逆に、１０ｍｍ以上になると剥離した蓋材が元に戻ってしまうので好ましくない。平行線状切目６の間隔を上記の範囲とすることにより、蓋材を摘み部２を掴んで剥離し、外蓋10を内蓋20から剥離した際に、外蓋10に接着した状態で抜き取られる内蓋20の開口用切目４に囲まれた領域が平行線状切目６に沿って折れ曲がるため、外蓋10の弾性が減少し剥離した状態の形状を維持することができる。第１、第２実施形態における摘み部２と蓋材の中心を結ぶ線と直交方向の第２離型層８の幅は５〜１０ｍｍ程度とするのが好ましい。
【００３１】
第１離型層７及び第２離型層８を形成する離型性樹脂としては、硝化綿、ポリアミド樹脂、ポリエステル樹脂、アクリル樹脂、ブチラール樹脂等の単体ないしは混合物が使用できる。必要により少量のシリコーン等を添加してもよい。離型層は上記の樹脂からなるインキを使用して紙面にグラビア印刷等により印刷して形成される。第１離型層及び第２離型層は、網点面積率が５５〜１００％の網点印刷版を使用して網点状に形成することにより、１種類の印刷版を使用して形成することが可能となる。網点面積率が５５％を下回ると紙剥けする可能性が大きくなるので好ましくない。第１離型層は網点面積率が６５〜１００％の網点印刷版を使用して形成され、第２離型層は網点面積率が５５〜６５％の網点印刷版を使用して形成される。
【００３２】
外蓋10は樹脂層と紙層の積層された構成であり、樹脂層としては印刷によるオーバープリント層、コーティング層または２軸延伸プラスチックフィルムとされる。外蓋10に使用する紙層は、坪量が５０〜１５０ｇのコート紙等を使用するのが好ましい。坪量が５０ｇ以下になると、外蓋と内蓋を積層した蓋材用の積層体の内面からハーフカットにより、外蓋剥離開始用切目、開口用切目、湯切り用切目、平行線状切目を内蓋を貫通し外蓋の紙層に達するように形成する際に、紙層にてハーフカットを止めるのが困難となる。内蓋20は押出ポリエチレン層と２軸延伸プラスチックフィルムと熱接着性樹脂層が積層された構成である。２軸延伸プラスチックフィルムとしては、２軸延伸ポリエチレンテレフタレートフィルム（ＰＥＴ）が好適に使用できる。
【００３３】
蓋材の積層構成としては、例えば、ＰＥＴ／ドライラミネーション（ＤＬ）／印刷層／片アート紙／離型層／オゾン処理／押出ポリエチレン（ＰＥ）／ＰＥＴ／アンカー剤層／押出ポリエチレン（ＰＥ）／熱接着性樹脂層、オーバープリント層／印刷層／片アート紙／離型層／オゾン処理／押出ポリエチレン（ＰＥ）／ＰＥＴ／アンカー剤層／押出ポリエチレン（ＰＥ）／熱接着性樹脂層等である。
【図面の簡単な説明】
【００３４】
【図１】本発明の第１実施形態を示す底面図。
【図２】第１実施形態の蓋材の外蓋の内面に形成された離型層を示す平面図。
【図３】第１実施形態の積層構成を示す図１のＩ−Ｉ線拡大断面図。
【図４】本発明の第２実施形態を示す底面図。
【図５】第２実施形態の蓋材の外蓋の内面に形成された離型層を示す平面図。
【図６】第２実施形態の積層構成を示す図４のII−II線拡大断面図。
【符号の説明】
【００３５】
２  摘み部
３  外蓋剥離開始用切目
４  開口用切目
4a  突出部
５  湯切り用切目
６  平行線状切目
７  第１離型層
８  第２離型層
９  絵柄層
10，10’  外蓋
11  紙層
12, 22  プラスチックフィルム層
13  接着剤層
14  樹脂コート層
20  内蓋
21  押出樹脂層
23  熱接着性樹脂層
【図１】
2007001638.tif 000003
【図２】
2007001638.tif 000004
【図３】
2007001638.tif 000005
【図４】
2007001638.tif 000006
【図５】
2007001638.tif 000007
【図６】
2007001638.tif 000008